【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを分岐するビーム分岐手段と、
前記ビーム分岐手段で分岐されたビームを受光し、前記受光したビームの光量に応じた信号を出力する光検出手段とを備え、
前記光検出手段は、前記集光された前記複数の回折光の内の０次回折光を受光するメインビーム受光部および１次以上の回折光を受光するサブビーム受光部を有し、
前記光記憶媒体は、複数の情報記録面を有し、少なくとも１つの前記情報記録面には案内溝が形成され、
前記収束手段で集光された１次以上の回折光が、前記複数の情報記録面の内の一つの集光面で略焦点を結んで反射されたときの光量が、前記収束手段で集光された０次の回折光が、前記複数の情報記録面の内の前記集光面以外の非集光面で焦点を結ばずに反射されたときの光量と等しいかまたは大きい関係を有していることを特徴とする光ピックアップヘッド。
【請求項２】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを分岐するビーム分岐手段と、
前記ビーム分岐手段で分岐されたビームを受光し、前記受光したビームの光量に応じた信号を出力する光検出手段とを備え、
前記光記憶媒体は、複数の情報記録面を有し、少なくとも１つの前記情報記録面には案内溝が形成されており、前記案内溝上もしくは前記案内溝間に情報が記録されており、
前記回折手段で生成された前記回折光の内の０次回折光の回折効率をηmとし、１次以上の回折光の回折効率をηsとし、１０・ηs≧ηmの関係を有することを特徴とする光ピックアップヘッド。
【請求項３】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを分岐するビーム分岐手段と、
前記ビーム分岐手段で分岐されたビームを受光し、前記受光したビームの光量に応じた信号を出力する光検出手段とを備え、
前記光検出手段は、前記集光された前記複数の回折光の内の０次回折光を受光するメインビーム受光部および１次以上の回折光を受光するサブビーム受光部を有し、
前記光記憶媒体は、複数の情報記録面を有し、少なくとも１つの前記情報記録面には案内溝が形成され、
前記収束手段で集光された０次の回折光が、前記複数の情報記録面の内の非集光面で焦点を結ばずに反射された光が、前記光検出手段上に形成する写像中に全ての前記サブビーム受光部が配置されていることを特徴とする光ピックアップヘッド。
【請求項４】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを分岐するビーム分岐手段と、
前記ビーム分岐手段で分岐されたビームを受光し、前記受光したビームの光量に応じた信号を出力する光検出手段とを備え、
前記光検出手段は、前記集光された前記複数の回折光の内の０次回折光を受光するメインビーム受光部および１次以上の回折光を受光するサブビーム受光部を有し、
前記光記憶媒体は、複数の情報記録面を有し、少なくとも１つの前記情報記録面には案内溝が形成されており、
前記回折手段で生成された前記回折光の内の０次回折光の回折効率をηmとし、１次以上の回折光の回折効率をηsとし、
前記収束手段の前記光記憶媒体側の開口数をＮＡとし、前記光記憶媒体から前記光検出手段に至る復路の光学系の横倍率をαとし、前記光記憶媒体の２つの情報記録面の光学的な間隔をｄとし、前記サブビーム受光部の１つの面積をＳ1としたとき、Ｓ1≦４・π・（ｄ・ＮＡ・α）2・ηs／ηmの関係を有することを特徴とする光ピックアップヘッド。
【請求項５】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを分岐するビーム分岐手段と、
前記ビーム分岐手段で分岐されたビームを受光し、前記受光したビームの光量に応じた信号を出力する光検出手段とを備え、
前記光検出手段は、前記集光された前記複数の回折光の内の０次回折光を受光するメインビーム受光部および１次以上の回折光を受光するサブビーム受光部を有し、
前記光記憶媒体は、複数の情報記録面を有し、少なくとも１つの前記情報記録面には案内溝が形成されており、
前記回折手段で生成された前記回折光の内の０次回折光の回折効率をηmとし、１次以上の回折光の回折効率をηsとし、
前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、
前記収束手段の前記光記憶媒体側の開口数をＮＡとし、前記光記憶媒体から前記光検出手段に至る復路の光学系の横倍率をαとし、前記光記憶媒体の２つの情報記録面の光学的な間隔をｄとし、前記サブビーム受光部の１つの面積をＳ1としたとき、Ｓ1≦４・π・（ｄ・ＮＡ・α）2・ηs／ηm・Ｒfo／Ｒdfoの関係を有することを特徴とする光ピックアップヘッド。
【請求項６】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを２つに分岐するビーム分岐手段と、
前記ビーム分岐手段で分岐された第１のビームに非点収差を付与する非点収差付与手段と、
前記ビーム分岐手段で分岐された第２のビームをさらに２つのビームに分割するビーム分割手段と、
前記非点収差手段からのビームを受光し、前記受光したビームの光量に応じた信号を出力する第１光検出手段と、
前記ビーム分割手段からのビームを受光し、前記受光したビームの光量に応じた信号を出力する第２光検出手段とを備え、
前記光記憶媒体は、複数の情報記録面を有し、少なくとも１つの前記情報記録面には案内溝が形成され、
前記ビーム分割手段は、前記第２のビームを前記案内溝と平行な方向に分割することを特徴とする光ピックアップヘッド。
【請求項７】
前記回折手段は、０次の回折光と、１次以上の回折光を生成し、
前記第１のビームは、前記０次の回折光と前記１次以上の回折光で構成され、
前記第１光検出手段は４つの受光部を有し、
前記０次の回折光と前記１次以上の回折光とが重なって前記受光部に受光されていることを特徴とする請求項６に記載の光ピックアップヘッド。
【請求項８】
前記第１光検出手段および前記第２光検出手段は、それぞれ、前記集光された前記複数の回折光を受光する受光部を有し、
前記収束手段で集光された０次の回折光が、前記複数の情報記録面の内の非集光面で焦点を結ばずに反射された光が、前記第１光検出手段および前記第２光検出手段上に形成する写像中に、第１光検出手段および第２光検出手段の全ての前記受光部が配置されていることを特徴とする請求項６または請求項７に記載の光ピックアップヘッド。
【請求項９】
光ビームを出射する光源と、
前記光源から出射されたビームから０次の回折光と、１次以上の回折光を生成する回折手段と、
前記回折手段からの前記０次の回折光と、前記１次以上の回折光を、光記憶媒体上に集光する収束手段と、
前記光記憶媒体上に集光された前記０次の回折光と、前記１次以上の回折光が前記光記憶媒体上で反射されたビームをそれぞれ２つに分割するビーム分割手段と、
前記ビーム分割手段で分割されたビームを受光し、前記受光したビームの光量に応じた信号を出力する光検出手段とを備え、
前記光検出手段は、一列に並べて配置された複数の受光部を有し、
前記光記憶媒体は、複数の情報記録面を有し、少なくとも１つの前記情報記録面には案内溝が形成され、
前記ビーム分割手段は前記案内溝と略平行な軸を分割軸としてビームを分割することを特徴とする光ピックアップヘッド。
【請求項１０】
前記ビーム分割手段で分割された一方のビームの内の前記０次回折光を受光する受光部は、
前記ビーム分割手段で分割された他方のビームの内の前記０次回折光を受光する受光部と、
前記ビーム分割手段で分割された他方のビームの内の前記１次以上の回折光を受光する受光部とに挟まれて配置されていることを特徴とする請求項９に記載の光ピックアップヘッド。
【請求項１１】
前記ビーム分割手段で分割されたどちらか一方のビームの内の前記０次回折光と前記１次以上の回折光とが前記光検出手段上に形成する写像同士の間隔は、前記ビーム分割手段で分割された２つの前記０次回折光が前記光検出手段上に形成する写像同士の間隔よりも広いことを特徴とする請求項１０に記載の光ピックアップヘッド。
【請求項１２】
前記ビーム分割手段が回折素子であることを特徴とする請求項６ないし請求項１１のいずれかに記載の光ピックアップヘッド。
【請求項１３】
前記ビーム分割手段がプリズムであることを特徴とする請求項６ないし請求項１１のいずれかに記載の光ピックアップヘッド。
【請求項１４】
前記光検出手段上では、ビームが略焦点に結像されることを特徴とする請求項６ないし請求項１３のいずれかに記載の光ピックアップヘッド。
【請求項１５】
前記受光部の大きさがエアリーディスクの３倍以上１０倍以下であることを特徴とする請求項１４に記載の光ピックアップヘッド。
【請求項１６】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを分岐するビーム分岐手段と、
前記ビーム分岐手段で分岐されたビームに非点収差を付与する非点収差付与手段と、
前記非点収差付与手段で非点収差を付与されたビームを受光し、前記受光したビームの光量に応じた信号を出力する光検出手段とを備え、
前記光検出手段は、前記集光された前記複数の回折光の内の０次回折光を受光するメインビーム受光部および１次以上の回折光を受光するサブビーム受光部を有し、
前記光記憶媒体は、複数の情報記録面を有し、少なくとも１つの前記情報記録面には案内溝が形成されており、
前記非点収差付与手段で付与される非点隔差をＺ0とし、
前記回折手段で生成された前記回折光の内の０次回折光の回折効率をηmとし、１次以上の回折光の回折効率をηsとし、
前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、
前記収束手段の前記光記憶媒体側の開口数をＮＡとし、前記光記憶媒体から前記光検出手段に至る復路の光学系の横倍率をαとし、前記光源が出射するビームの波長をλとし、前記光記憶媒体の２つの情報記録面の光学的な間隔をｄとし、前記サブビーム受光部の１つの面積をＳ1としたとき、Ｓ1・ηm・Ｒdfo／（４・π・ｄ2・ＮＡ2・ηs・Ｒfo）≦α≦（Ｚ0／２／Δｚ）1/2の関係を有し、かつ、Δｚはλ／２／ＮＡ2の３〜１０倍の範囲であることを特徴とする光ピックアップヘッド。
【請求項１７】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射されたビームを異なる焦点を有する２つのビームに分割するビーム分割手段と、
前記ビーム分割手段で分割されたビームを受光し、前記受光したビームの光量に応じた信号を出力する光検出手段とを備え、
前記光検出手段は、前記集光された前記複数の回折光の内の０次回折光を受光するメインビーム受光部および１次以上の回折光を受光するサブビーム受光部を有し、
前記光記憶媒体は、複数の情報記録面を有し、少なくとも１つの前記情報記録面には案内溝が形成されており、
前記ビーム分割手段で分割される２つのビームに付与される２つの焦点間隔をＺ0とし、
前記回折手段で生成された前記回折光の内の０次回折光の回折効率をηmとし、１次以上の回折光の回折効率をηsとし、
前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、
前記収束手段の前記光記憶媒体側の開口数をＮＡとし、前記光記憶媒体から前記光検出手段に至る復路の光学系の横倍率をαとし、前記光源が出射するビームの波長をλとし、前記光記憶媒体の２つの情報記録面の光学的な間隔をｄとし、前記サブビーム受光部の１つの面積をＳ1としたとき、Ｓ1・ηm・Ｒdfo／（４・π・ｄ2・ＮＡ2・ηs・Ｒfo）≦α≦（Ｚ0／２／Δｚ）1/2の関係を有し、かつ、Δｚはλ／２／ＮＡ2の３〜１０倍の範囲であることを特徴とする光ピックアップヘッド。
【請求項１８】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを２つに分割するビーム分割手段と、
前記ビーム分割手段で分割されたビームを受光し、前記受光したビームの光量に応じた信号を出力する光検出手段と、
前記光記憶媒体から前記光検出手段に至る光路においてビームに非点収差を付与する非点収差付与手段とを備え、
前記光検出手段は、前記集光された前記複数の回折光の内の０次回折光を受光するメインビーム受光部および１次以上の回折光を受光するサブビーム受光部を有し、
前記光記憶媒体は、屈折率ｎの基板と複数の情報記録面を有し、少なくとも１つの前記情報記録面には案内溝が形成されており、
前記非点収差付与手段で付与される非点隔差をＺ0とし、
前記回折手段で生成された前記回折光の内の０次回折光の回折効率をηmとし、１次以上の回折光の回折効率をηsとし、
前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、
前記収束手段の前記光記憶媒体側の開口数をＮＡとし、前記光記憶媒体から前記光検出手段に至る復路の光学系の横倍率をαとし、前記光源が出射するビームの波長をλとし、前記光記憶媒体の２つの情報記録面の光学的な間隔をｄとし、前記サブビーム受光部の１つの面積をＳ1としたとき、Ｓ1・ηm・Ｒdfo／（４・π・ｄ2・ＮＡ2・ηs・Ｒfo）≦α≦（Ｚ0・ｎ3／Δｔ／（ｎ2−１）／ＮＡ2）1/2の関係を有し、かつ、Δｔはλ／ＮＡ4の５〜３０倍の範囲であることを特徴とする光ピックアップヘッド。
【請求項１９】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射されたビームを２つに分割する第１ビーム分割手段と、
前記第１ビーム分割手段で分割されたビームを受光し、前記受光したビームの光量に応じた信号を出力する光検出手段と、
前記光記憶媒体から前記光検出手段に至る光路においてビームを異なる焦点を有する２つのビームに分割する第２ビーム分割手段とを備え、
前記光検出手段は、前記集光された前記複数の回折光の内の０次回折光を受光するメインビーム受光部および１次以上の回折光を受光するサブビーム受光部を有し、
前記光記憶媒体は、屈折率ｎの基板と複数の情報記録面を有し、少なくとも１つの前記情報記録面には案内溝が形成されており、
前記第２ビーム分割手段で分割される２つのビームに付与される２つの焦点間隔をＺ0とし、
前記回折手段で生成された前記回折光の内の０次回折光の回折効率をηmとし、１次以上の回折光の回折効率をηsとし、
前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、
前記収束手段の前記光記憶媒体側の開口数をＮＡとし、前記光記憶媒体から前記光検出手段に至る復路の光学系の横倍率をαとし、前記光源が出射するビームの波長をλとし、前記光記憶媒体の２つの情報記録面の光学的な間隔をｄとし、前記サブビーム受光部の１つの面積をＳ1としたとき、Ｓ1・ηm・Ｒdfo／（４・π・ｄ2・ＮＡ2・ηs・Ｒfo）≦α≦（Ｚ0・ｎ3／Δｔ／（ｎ2−１）／ＮＡ2）1/2の関係を有し、かつ、Δｔはλ／ＮＡ4の５〜３０倍の範囲であることを特徴とする光ピックアップヘッド。
【請求項２０】
光ビームを出射する半導体レーザ光源と、
前記半導体レーザ光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを分岐するビーム分岐手段と、
前記ビーム分岐手段で分岐されたビームを受光し、前記受光したビームの光量に応じた信号を出力する光検出手段とを備え、
前記光記憶媒体は、複数の情報記録面を有し、少なくとも１つの前記情報記録面には案内溝が形成され、
前記半導体レーザ光源は、前記情報記録面に形成された前記案内溝と略平行になるように配置された基板上に形成されており、レーザビームを出射する位置とは異なる位置から自然放出光を出射することを特徴とする光ピックアップヘッド。
【請求項２１】
前記半導体レーザ光源の前記基板がサファイアからなることを特徴とする請求項２０に記載の光ピックアップヘッド。
【請求項２２】
前記半導体レーザ光源の前記基板が窒化ガリウムからなることを特徴とする請求項２０に記載の光ピックアップヘッド。
【請求項２３】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射されたビームを受光し、前記受光したビームの光量に応じた信号を出力する光検出手段とを備え、
前記光検出手段は、前記集光された前記複数の回折光の内の０次回折光を受光するメインビーム受光部および１次以上の回折光を受光するサブビーム受光部を有し、
メインビーム受光部とサブビーム受光部との間に、メインビーム受光部とサブビーム受光部同士のクロストークを防ぐダミー受光部を設けたことを特徴とする光ピックアップヘッド。
【請求項２４】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射されたビームを受光し、前記受光したビームの光量に応じた信号を出力する光検出手段とを備え、
前記光検出手段は、前記集光された前記複数の回折光の内の０次回折光を受光する２つのメインビーム受光部および１次以上の回折光を受光する４つのサブビーム受光部を有し、
メインビーム受光部から出力される信号をＴ1、Ｔ2とし、サブビーム受光部から出力される信号をＴ3、Ｔ4、Ｔ5、Ｔ6としたとき、
（Ｔ1−Ｔ2）／（Ｔ1＋Ｔ2）−ｋ［｛（Ｔ3−Ｔ4）＋（Ｔ5＋Ｔ6）｝／（Ｔ1＋Ｔ2）］（ｋは定数）の演算によりトラッキング誤差信号を検出することを特徴とする光ピックアップヘッド。
【請求項２５】
光ビームを出射する光源と、
前記光源から出射されたビームから複数の回折光を生成する回折手段と、
前記回折手段からの前記複数の回折光を、光記憶媒体上に集光する収束手段と、
前記光記憶媒体上に集光された前記複数の回折光が前記光記憶媒体上で反射された複数のビームを分岐するビーム分岐手段と、
前記ビーム分岐手段で分岐されたビームを受光し、前記受光したビームの光量に応じた信号を出力する光検出手段とを備え、
前記光検出手段は、２つの受光部を有し、
前記光記憶媒体は、第１の情報記録面と第２の情報記録面とを有し、前記第１の情報記録面には案内溝が形成され、
前記収束手段で集光された回折光が前記第１の情報記録面で焦点を結び、前記第２の情報記録面では焦点を結んでいない場合に、
前記第１の情報記録面で反射されたビームが前記光検出手段で受光されて、前記２つの受光部から出力される信号を、Ｔf1、Ｔf2とし、
前記第２の情報記録面で反射されたビームが前記光検出手段で受光されて、前記２つの受光部から出力される信号を、Ｔs1、Ｔs2とし、
（Ｔf1＋Ｔs1−Ｔf2−Ｔs2）／（Ｔf1＋Ｔs1＋Ｔf2＋Ｔs2）の演算によりトラッキング誤差信号を検出し、Ｔf1＋Ｔf2≧５・（Ｔs1＋Ｔs2）の関係を有する光ピックアップヘッド。
【請求項２６】
前記光記憶媒体から前記光検出手段に至る光路中に、前記光検出手段で受光されるビームを収束させる集光手段を備え、
前記集光手段は凸レンズと凹レンズとを有していることを特徴とする請求項１ないし請求項２５のいずれかに記載の光ピックアップヘッド。
【請求項２７】
請求項１ないし請求項２６のいずれかに記載の光ピックアップヘッドと、前記光記憶媒体と前記光ピックアップヘッドとの相対的な位置を変化させる駆動部と、
前記光ピックアップヘッドから出力される信号を受けて演算を行い所望の情報を得る電気信号処理部とを備えたことを特徴とする情報記録再生装置。
【手続補正２】
【補正対象書類名】明細書
【補正対象項目名】００１８
【補正方法】変更
【補正の内容】
【００１８】
本発明の他の光ピックアップヘッドは、光ビームを出射する光源と、前記光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射された複数のビームを分岐するビーム分岐手段と、前記ビーム分岐手段で分岐されたビームを受光し、前記受光したビームの光量に応じた信号を出力する光検出手段とを備え、前記光記憶媒体は、複数の情報記録面を有し、少なくとも１つの前記情報記録面には案内溝が形成されており、前記案内溝上もしくは前記案内溝間に情報が記録されており、前記回折手段で生成された前記回折光の内の０次回折光の回折効率をηmとし、１次以上の回折光の回折効率をηsとし、１０・ηs≧ηmの関係を有している。
【手続補正３】
【補正対象書類名】明細書
【補正対象項目名】００２０
【補正方法】変更
【補正の内容】
【００２０】
本発明の他の光ピックアップヘッドは、光ビームを出射する光源と、前記光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射された複数のビームを分岐するビーム分岐手段と、前記ビーム分岐手段で分岐されたビームを受光し、前記受光したビームの光量に応じた信号を出力する光検出手段とを備え、前記光検出手段は、前記集光された前記複数の回折光の内の０次回折光を受光するメインビーム受光部および１次以上の回折光を受光するサブビーム受光部を有し、前記光記憶媒体は、複数の情報記録面を有し、少なくとも１つの前記情報記録面には案内溝が形成されており、前記回折手段で生成された前記回折光の内の０次回折光の回折効率をηmとし、１次以上の回折光の回折効率をηsとし、前記収束手段の前記光記憶媒体側の開口数をＮＡとし、前記光記憶媒体から前記光検出手段に至る復路の光学系の横倍率をαとし、前記光記憶媒体の２つの情報記録面の光学的な間隔をｄとし、前記サブビーム受光部の１つの面積をＳ1としたとき、Ｓ1≦４・π・（ｄ・ＮＡ・α）2・ηs／ηmの関係を有している。
【手続補正４】
【補正対象書類名】明細書
【補正対象項目名】００２１
【補正方法】変更
【補正の内容】
【００２１】
本発明の他の光ピックアップヘッドは、光ビームを出射する光源と、前記光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射された複数のビームを分岐するビーム分岐手段と、前記ビーム分岐手段で分岐されたビームを受光し、前記受光したビームの光量に応じた信号を出力する光検出手段とを備え、前記光検出手段は、前記集光された前記複数の回折光の内の０次回折光を受光するメインビーム受光部および１次以上の回折光を受光するサブビーム受光部を有し、前記光記憶媒体は、複数の情報記録面を有し、少なくとも１つの前記情報記録面には案内溝が形成されており、前記回折手段で生成された前記回折光の内の０次回折光の回折効率をηmとし、１次以上の回折光の回折効率をηsとし、前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、前記収束手段の前記光記憶媒体側の開口数をＮＡとし、前記光記憶媒体から前記光検出手段に至る復路の光学系の横倍率をαとし、前記光記憶媒体の２つの情報記録面の光学的な間隔をｄとし、前記サブビーム受光部の１つの面積をＳ1としたとき、Ｓ1≦４・π・（ｄ・ＮＡ・α）2・ηs／ηm・Ｒfo／Ｒdfoの関係を有している。
【手続補正５】
【補正対象書類名】明細書
【補正対象項目名】００２２
【補正方法】変更
【補正の内容】
【００２２】
本発明の他の光ピックアップヘッドは、光ビームを出射する光源と、前記光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射された複数のビームを２つに分岐するビーム分岐手段と、前記ビーム分岐手段で分岐された第１のビームに非点収差を付与する非点収差付与手段と、前記ビーム分岐手段で分岐された第２のビームをさらに２つのビームに分割するビーム分割手段と、前記非点収差手段からのビームを受光し、前記受光したビームの光量に応じた信号を出力する第１光検出手段と、前記ビーム分割手段からのビームを受光し、前記受光したビームの光量に応じた信号を出力する第２光検出手段とを備え、前記光記憶媒体は、複数の情報記録面を有し、少なくとも１つの前記情報記録面には案内溝が形成され、前記ビーム分割手段は、前記第２のビームを前記案内溝と平行な方向に分割している。
【手続補正６】
【補正対象書類名】明細書
【補正対象項目名】００３２
【補正方法】変更
【補正の内容】
【００３２】
本発明の他の光ピックアップヘッドは、光ビームを出射する光源と、前記光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射された複数のビームを分岐するビーム分岐手段と、前記ビーム分岐手段で分岐されたビームに非点収差を付与する非点収差付与手段と、前記非点収差付与手段で非点収差を付与されたビームを受光し、前記受光したビームの光量に応じた信号を出力する光検出手段とを備え、前記光検出手段は、前記集光された前記複数の回折光の内の０次回折光を受光するメインビーム受光部および１次以上の回折光を受光するサブビーム受光部を有し、前記光記憶媒体は、複数の情報記録面を有し、少なくとも１つの前記情報記録面には案内溝が形成されており、前記非点収差付与手段で付与される非点隔差をＺ0とし、前記回折手段で生成された前記回折光の内の０次回折光の回折効率をηmとし、１次以上の回折光の回折効率をηsとし、前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、前記収束手段の前記光記憶媒体側の開口数をＮＡとし、前記光記憶媒体から前記光検出手段に至る復路の光学系の横倍率をαとし、前記光源が出射するビームの波長をλとし、前記光記憶媒体の２つの情報記録面の光学的な間隔をｄとし、前記サブビーム受光部の１つの面積をＳ1としたとき、Ｓ1・ηm・Ｒdfo／（４・π・ｄ2・ＮＡ2・ηs・Ｒfo）≦α≦（Ｚ0／２／Δｚ）1/2の関係を有し、かつ、Δｚはλ／２／ＮＡ2の３〜１０倍の範囲である。
【手続補正７】
【補正対象書類名】明細書
【補正対象項目名】００３３
【補正方法】変更
【補正の内容】
【００３３】
本発明の他の光ピックアップヘッドは、光ビームを出射する光源と、前記光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射されたビームを異なる焦点を有する２つのビームに分割するビーム分割手段と、前記ビーム分割手段で分割されたビームを受光し、前記受光したビームの光量に応じた信号を出力する光検出手段とを備え、前記光検出手段は、前記集光された前記複数の回折光の内の０次回折光を受光するメインビーム受光部および１次以上の回折光を受光するサブビーム受光部を有し、前記光記憶媒体は、複数の情報記録面を有し、少なくとも１つの前記情報記録面には案内溝が形成されており、前記ビーム分割手段で分割される２つのビームに付与される２つの焦点間隔をＺ0とし、前記回折手段で生成された前記回折光の内の０次回折光の回折効率をηmとし、１次以上の回折光の回折効率をηsとし、前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、前記収束手段の前記光記憶媒体側の開口数をＮＡとし、前記光記憶媒体から前記光検出手段に至る復路の光学系の横倍率をαとし、前記光源が出射するビームの波長をλとし、前記光記憶媒体の２つの情報記録面の光学的な間隔をｄとし、前記サブビーム受光部の１つの面積をＳ1としたとき、Ｓ1・ηm・Ｒdfo／（４・π・ｄ2・ＮＡ2・ηs・Ｒfo）≦α≦（Ｚ0／２／Δｚ）1/2の関係を有し、かつ、Δｚはλ／２／ＮＡ2の３〜１０倍の範囲である。
【手続補正８】
【補正対象書類名】明細書
【補正対象項目名】００３４
【補正方法】変更
【補正の内容】
【００３４】
本発明の他の光ピックアップヘッドは、光ビームを出射する光源と、前記光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射された複数のビームを２つに分割するビーム分割手段と、前記ビーム分割手段で分割されたビームを受光し、前記受光したビームの光量に応じた信号を出力する光検出手段と、前記光記憶媒体から前記光検出手段に至る光路においてビームに非点収差を付与する非点収差付与手段とを備え、前記光検出手段は、前記集光された前記複数の回折光の内の０次回折光を受光するメインビーム受光部および１次以上の回折光を受光するサブビーム受光部を有し、前記光記憶媒体は、屈折率ｎの基板と複数の情報記録面を有し、少なくとも１つの前記情報記録面には案内溝が形成されており、前記非点収差付与手段で付与される非点隔差をＺ0とし、前記回折手段で生成された前記回折光の内の０次回折光の回折効率をηmとし、１次以上の回折光の回折効率をηsとし、前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、前記収束手段の前記光記憶媒体側の開口数をＮＡとし、前記光記憶媒体から前記光検出手段に至る復路の光学系の横倍率をαとし、前記光源が出射するビームの波長をλとし、前記光記憶媒体の２つの情報記録面の光学的な間隔をｄとし、前記サブビーム受光部の１つの面積をＳ1としたとき、Ｓ1・ηm・Ｒdfo／（４・π・ｄ2・ＮＡ2・ηs・Ｒfo）≦α≦（Ｚ0・ｎ3／Δｔ／（ｎ2−１）／ＮＡ2）1/2の関係を有し、かつ、Δｔはλ／ＮＡ4の５〜３０倍の範囲である。
【手続補正９】
【補正対象書類名】明細書
【補正対象項目名】００３５
【補正方法】変更
【補正の内容】
【００３５】
本発明の他の光ピックアップヘッドは、光ビームを出射する光源と、前記光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射されたビームを２つに分割する第１ビーム分割手段と、前記第１ビーム分割手段で分割されたビームを受光し、前記受光したビームの光量に応じた信号を出力する光検出手段と、前記光記憶媒体から前記光検出手段に至る光路においてビームを異なる焦点を有する２つのビームに分割する第２ビーム分割手段とを備え、前記光検出手段は、前記集光された前記複数の回折光の内の０次回折光を受光するメインビーム受光部および１次以上の回折光を受光するサブビーム受光部を有し、前記光記憶媒体は、屈折率ｎの基板と複数の情報記録面を有し、少なくとも１つの前記情報記録面には案内溝が形成されており、前記第２ビーム分割手段で分割される２つのビームに付与される２つの焦点間隔をＺ0とし、前記回折手段で生成された前記回折光の内の０次回折光の回折効率をηmとし、１次以上の回折光の回折効率をηsとし、前記収束手段で集光されたビームが略焦点を結ぶ情報記録面の内の集光面の実効的な反射率をＲfoとし、前記複数の情報記録面の内の前記集光面以外の非集光面の実効的な反射率をＲdfoとし、前記収束手段の前記光記憶媒体側の開口数をＮＡとし、前記光記憶媒体から前記光検出手段に至る復路の光学系の横倍率をαとし、前記光源が出射するビームの波長をλとし、前記光記憶媒体の２つの情報記録面の光学的な間隔をｄとし、前記サブビーム受光部の１つの面積をＳ1としたとき、Ｓ1・ηm・Ｒdfo／（４・π・ｄ2・ＮＡ2・ηs・Ｒfo）≦α≦（Ｚ0・ｎ3／Δｔ／（ｎ2−１）／ＮＡ2）1/2の関係を有し、かつ、Δｔはλ／ＮＡ4の５〜３０倍の範囲である。
【手続補正１０】
【補正対象書類名】明細書
【補正対象項目名】００３６
【補正方法】変更
【補正の内容】
【００３６】
本発明の他の光ピックアップヘッドは、光ビームを出射する半導体レーザ光源と、前記半導体レーザ光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射された複数のビームを分岐するビーム分岐手段と、前記ビーム分岐手段で分岐されたビームを受光し、前記受光したビームの光量に応じた信号を出力する光検出手段とを備え、前記光記憶媒体は、複数の情報記録面を有し、少なくとも１つの前記情報記録面には案内溝が形成され、前記半導体レーザ光源は、前記情報記録面に形成された前記案内溝と略平行になるように配置された基板上に形成されており、レーザビームを出射する位置とは異なる位置から自然放出光を出射する。
【手続補正１１】
【補正対象書類名】明細書
【補正対象項目名】００４１
【補正方法】変更
【補正の内容】
【００４１】
本発明の他の光ピックアップヘッドは、光ビームを出射する光源と、前記光源から出射されたビームから複数の回折光を生成する回折手段と、前記回折手段からの前記複数の回折光を、光記憶媒体上に集光する収束手段と、前記光記憶媒体上に集光された前記複数の回折光が前記光記憶媒体上で反射された複数のビームを分岐するビーム分岐手段と、前記ビーム分岐手段で分岐されたビームを受光し、前記受光したビームの光量に応じた信号を出力する光検出手段とを備え、前記光検出手段は、２つの受光部を有し、前記光記憶媒体は、第１の情報記録面と第２の情報記録面とを有し、前記第１の情報記録面には案内溝が形成され、前記収束手段で集光された回折光が前記第１の情報記録面で焦点を結び、前記第２の情報記録面では焦点を結んでいない場合に、前記第１の情報記録面で反射されたビームが前記光検出手段で受光されて、前記２つの受光部から出力される信号を、Ｔf1、Ｔf2とし、前記第２の情報記録面で反射されたビームが前記光検出手段で受光されて、前記２つの受光部から出力される信号を、Ｔs1、Ｔs2とし、（Ｔf1＋Ｔs1−Ｔf2−Ｔs2）／（Ｔf1＋Ｔs1＋Ｔf2＋Ｔs2）の演算によりトラッキング誤差信号を検出し、Ｔf1＋Ｔf2≧５・（Ｔs1＋Ｔs2）の関係を有する。
【手続補正１２】
【補正対象書類名】明細書
【補正対象項目名】００４３
【補正方法】変更
【補正の内容】
【００４３】
本発明の情報記録再生装置は、上述した光ピックアップヘッドと、前記光記憶媒体と前記光ピックアップヘッドとの相対的な位置を変化させる駆動部と、前記光ピックアップヘッドから出力される信号を受けて演算を行い所望の情報を得る電気信号処理部とを備えている。